【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
記録手段に記録されたコンテンツを外部装置に移動可能なコンテンツ記録装置であって、
前記記録手段の空き容量値が所定の閾値より小さいか否かを判断する空き容量判断手段と、
前記空き容量判断手段により前記空き容量値が前記閾値より小さいと判断された場合に、前記記録手段に記録されたコンテンツの各々に対して前記外部装置へ移動する際の優先度を決定する移動優先度決定手段であって、残存コピー可能回数が少ないコンテンツほど高い優先度を割り当てる移動優先度決定手段と、
前記記録手段に記録されたコンテンツを、前記移動優先度決定手段により決定された前記優先度の高い順に前記外部装置への移動対象のコンテンツとして選択し、該コンテンツを移動するか否かを問い合わせる問い合わせ手段と、
を備えることを特徴とするコンテンツ記録装置。
【請求項２】
前記コンテンツ記録装置は、更に
前記記録手段に記録されたコンテンツを前記外部装置へ移動するコンテンツ移動手段を備え、
前記問い合わせ手段は、移動対象のコンテンツとして選択したコンテンツを、前記コンテンツ記録装置に接続された表示手段に表示させて、移動するか否かの問い合わせを行い、
前記コンテンツ移動手段は、前記問い合わせ手段による問い合わせの結果、移動すると決定された移動対象のコンテンツを前記外部装置へ移動することを特徴とする請求項１に記載のコンテンツ記録装置。
【請求項３】
前記コンテンツ記録装置は、更に
前記空き容量判断手段により前記空き容量値が前記閾値より小さいと判断された場合に、前記コンテンツ記録装置に接続された前記外部装置の動作状態を検出する状態検出手段を備え、
前記問い合わせ手段は、前記状態検出手段により検出された前記外部装置の動作状態がコンテンツの移動に対して準備完了であることを示す状態の場合に、前記移動優先度決定手段により決定された前記優先度に基づいて、前記外部装置への移動対象のコンテンツを選択して問い合わせることを特徴とする請求項１または請求項２に記載のコンテンツ記録装置。
【請求項４】
前記コンテンツ記録装置は、更に
前記記録手段に記録されたコンテンツの各々について、コンテンツがコピーワンスあるいはダビング１０であるか否かを判定し、該判定の結果を示す属性情報を付与するコンテンツ属性判定手段を備え、
前記移動優先度決定手段は、残存コピー回数が等しい複数のコンテンツについて、各コンテンツの属性情報に応じて異なる優先度を割り当てることを特徴とする請求項１から請求項３までのいずれか１項に記載のコンテンツ記録装置。
【請求項５】
前記コンテンツ属性判定手段は更に、各コンテンツが他の装置からコピーされたコンテンツであるか否かを判定した上で、該判定の結果を示す属性情報を付与し、
前記移動優先度決定手段は、残存コピー回数が等しい複数のコンテンツのうち、他の装置からコピーされたコンテンツに対して、ダビング１０の属性情報を有するコンテンツよりも低く、コピーワンスの属性情報を有するコンテンツよりも高い優先度を割り当てることを特徴とする請求項４に記載のコンテンツ記録装置。
【請求項６】
各コンテンツに対して移動、コピー、および削除の予め定められた処理のうちいずれの処理を行うかを、該コンテンツの前記残存コピー可能回数、再生された日時、及びコピーされた日時の組み合わせに応じて決定する処理決定手段を更に備えることを特徴とする請求項１から請求項５までのいずれか１項に記載のコンテンツ記録装置。
【請求項７】
記録手段に記録されたコンテンツを外部装置に移動可能なコンテンツ記録装置の制御方法であって、
前記コンテンツ記録装置の空き容量判断手段が、前記記録手段の空き容量値が所定の閾値より小さいか否かを判断する空き容量判断ステップと、
前記コンテンツ記録装置の移動優先度決定手段が、前記空き容量判断ステップにおいて、前記空き容量値が前記閾値より小さいと判断された場合に、前記記録手段に記録されたコンテンツの各々に対して前記外部装置へ移動する際の優先度を決定する移動優先度決定ステップであって、残存コピー可能回数が少ないコンテンツほど高い優先度を割り当てる移動優先度決定ステップと、
前記コンテンツ記録装置の問い合わせ手段が、前記記録手段に記録されたコンテンツを、前記移動優先度決定手段により決定された前記優先度の高い順に前記外部装置への移動対象のコンテンツとして選択し、該コンテンツを移動するか否かを問い合わせる問い合わせステップと、
を備えることを特徴とするコンテンツ記録装置の制御方法。
【請求項８】
前記コンテンツ記録装置の制御方法は、更に
前記コンテンツ記録装置のコンテンツ移動手段が、前記記録手段に記録されたコンテンツを前記外部装置へ移動するコンテンツ移動ステップを備え、
前記問い合わせ手段は前記問い合わせステップにおいて、移動対象のコンテンツとして選択したコンテンツを、前記コンテンツ記録装置に接続された表示手段に表示させて、移動するか否かの問い合わせを行い、
前記コンテンツ移動手段は前記コンテンツ移動ステップにおいて、前記問い合わせ手段による問い合わせの結果、移動すると決定された移動対象のコンテンツを前記外部装置へ移動することを特徴とする請求項７に記載のコンテンツ記録装置の制御方法。
【請求項９】
前記コンテンツ記録装置の制御方法は、更に
前記コンテンツ記録装置の状態検出手段が、前記空き容量判断ステップにおいて前記空き容量値が前記閾値より小さいと判断された場合に、前記コンテンツ記録装置に接続された前記外部装置の動作状態を検出する状態検出ステップを備え、
前記問い合わせ手段は前記問い合わせステップにおいて、前記状態検出ステップにおいて検出された前記外部装置の動作状態がコンテンツの移動に対して準備完了であることを示す状態の場合に、前記移動優先度決定ステップにおいて決定された前記優先度に基づいて、前記外部装置への移動対象のコンテンツを選択して問い合わせることを特徴とする請求項７または請求項８に記載のコンテンツ記録装置の制御方法。
【請求項１０】
前記コンテンツ記録装置の制御方法は、更に
前記コンテンツ記録装置のコンテンツ属性判定手段が、前記記録手段に記録されたコンテンツの各々について、コンテンツがコピーワンスあるいはダビング１０であるか否かを判定し、該判定の結果を示す属性情報を付与するコンテンツ属性判定ステップを備え、
前記移動優先度決定手段は前記移動優先度決定ステップにおいて、残存コピー回数が等しい複数のコンテンツについて、各コンテンツの属性情報に応じて異なる優先度を割り当てることを特徴とする請求項７から請求項９までのいずれか１項に記載のコンテンツ記録装置の制御方法。
【請求項１１】
前記コンテンツ属性判定ステップでは更に、各コンテンツが他の装置からコピーされたコンテンツであるか否かを判定した上で、該判定の結果を示す属性情報を付与し、
前記移動優先度決定手段は前記移動優先度決定ステップにおいて、残存コピー回数が等しい複数のコンテンツのうち、他の装置からコピーされたコンテンツに対して、ダビング１０の属性情報を有するコンテンツよりも低く、コピーワンスの属性情報を有するコンテンツよりも高い優先度を割り当てることを特徴とする請求項１０に記載のコンテンツ記録装置の制御方法。
【請求項１２】
前記コンテンツ記録装置の処理決定手段が、各コンテンツに対して移動、コピー、および削除の予め定められた処理のうちいずれの処理を行うかを、該コンテンツの前記残存コピー可能回数、再生された日時、及びコピーされた日時の組み合わせに応じて決定する処理決定ステップを更に備えることを特徴とする請求項７から請求項１１までのいずれか１項に記載のコンテンツ記録装置の制御方法。
【請求項１３】
請求項７から請求項１２までのいずれか１項に記載のコンテンツ記録装置の制御方法における各ステップをコンピュータにより実行させるためのコンピュータプログラム。
【請求項１４】
請求項７から請求項１２までのいずれか１項に記載のコンテンツ記録装置の制御方法における各ステップをコンピュータにより実行させるためのコンピュータプログラムを格納したコンピュータが読み取り可能な記憶媒体。
【手続補正２】
【補正対象書類名】明細書
【補正対象項目名】発明の名称
【補正方法】変更
【補正の内容】
【発明の名称】コンテンツ記録装置、その制御方法、コンピュータプログラムおよび記憶媒体
【手続補正３】
【補正対象書類名】明細書
【補正対象項目名】００１０
【補正方法】変更
【補正の内容】
【００１０】
本発明は、ユーザのコピーの権利を極力損なわず記憶部に記録されたコンテンツを選択し削除することにより記憶部の空き容量を増やすことができる、映像音声データの記録再生装置およびその制御方法を提供することを目的とする。
【手続補正４】
【補正対象書類名】明細書
【補正対象項目名】００１１
【補正方法】変更
【補正の内容】
【００１１】
上述した課題を解決するため、コンテンツ記録再生装置は、記録手段に記録されたコンテンツを外部装置に移動可能なコンテンツ記録装置であって、記録手段の空き容量値が所定の閾値より小さいか否かを判断する空き容量判断手段と、空き容量判断手段により空き容量値が閾値より小さいと判断された場合に、記録手段に記録されたコンテンツの各々に対して外部装置へ移動する際の優先度を決定する移動優先度決定手段であって、残存コピー可能回数が少ないコンテンツほど高い優先度を割り当てる移動優先度決定手段と、記録手段に記録されたコンテンツを、移動優先度決定手段により決定された優先度の高い順に外部装置への移動対象のコンテンツとして選択し、該コンテンツを移動するか否かを問い合わせる問い合わせ手段と、を備えることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００５５
【補正方法】変更
【補正の内容】
【００５５】
そこで、移動優先度付与部１０６は、残存コピー可能回数０回のコンテンツの属性情報優先度をコピーワンスコンテンツについて移動の優先度を最も低く設定する。そして、コピーＩＮコンテンツについて移動の優先度を次に低く設定し、残存コピー可能回数が０回となったダビング１０コンテンツについて移動の優先度を最も高く設定する。